(57)【要約】【課題】梁同士または、梁と壁パネルの接合強度および、施工性の向上を図り、かつコスト削減にも効果的な梁受け構造を提供すること。【解決手段】第１の梁１と第２の梁２が平面Ｌ字状に交差する交差部Ａを梁受け金物７で接合する梁受け構造であって、梁受け金物７は、第２の梁２の表面に沿った形態で固定される平面部８と、その平面部８と略直角に連設した受け部９とを有し、受け部９には、すくなくとも１つのボルト穴１１が設けられ、第１の梁１と受け部９は、第１の梁１とボルト穴１１を貫通したボルト１３で連結されていること。【選択図】      図２
2004232211.tif 000002
【特許請求の範囲】
【請求項１】
第１の梁と第２の梁が平面Ｌ字状に交差する交差部を梁受け金物で接合する梁受け構造であって、
前記梁受け金物は、前記第２の梁の表面に沿った形態で固定される平面部と、その平面部と略直角に連設した受け部とを有し、
前記受け部には、すくなくとも１つのボルト穴が設けられ、
前記第１の梁と前記受け部は、前記第１の梁と前記ボルト穴を貫通したボルトで連結されていることを特徴とする梁受け構造。
【請求項２】
梁と壁パネルが平面Ｌ字状に交差する交差部を梁受け金物で接合する梁受け構造であって、
前記梁受け金物は、前記壁パネルの表面に沿った形態で固定される平面部と、その平面部と略直角に連設した受け部とを有し、
前記受け部には、すくなくとも１つのボルト穴が設けられ、
前記梁と前記受け部は、前記梁と前記ボルト穴を貫通したボルトで連結されていることを特徴とする梁受け構造。
【請求項３】
請求項１または２記載の梁受け構造において、前記平面部に複数のビス穴が設けられていることを特徴とする梁受け構造。
【請求項４】
請求項１〜３記載の梁受け構造において、前記ボルト穴の高さ位置に応じて前記梁受け金物が固定されていることを特徴とする梁受け構造。
【請求項５】
請求項１〜４記載の梁受け構造において、前記梁に複数の補強材が設けられていることを特徴とする梁受け構造。
【発明の詳細な説明】
【０００１】
【発明の属する技術分野】
本発明は、梁受け構造に関し、特に梁と壁パネルまたは梁同士の接合に好適となる梁受け構造に関する。
【０００２】
【背景の技術】
従来、建物の建築工法として、複数のパネルを連設して建物を構築するパネル工法がある。このパネル工法における梁の取り付けは、隣接する壁パネル間に半割材や正角材等の梁受部材を取り付け、この梁受部材の上端部に梁の端部を載置して釘等を打ち付けることにより行われていた。上記方法では、半割材等を使用することから、梁取付前の準備作業に手間がかかる上、費用を低く押さえることも難しかった。
【０００３】
そのため、図８に示すように、梁受け金物を壁パネルに取り付けて行う方法がとられてきた（例えば、特許文献１参照。）。この梁受け金物３０は、壁に取り付けるための取付部３２と、梁１００端部を受け止めて支持するための梁受部３８を備え、さらに、梁受部３８とは反対方向に略直角に屈曲した上端部３２ａの裏面にリブ３４が形成されている。一方、壁４０は、建築用パネル３３、３３の側端面を接合して形成され、接合部４０ａの上端部にリブ３４が納まる大きさの凹部５０が形成されている。そして、この凹部５０にリブ３４をはめ込み、かつ、上端部３２ａを壁４０の上端面４０ｂに係止させて梁受金物３０が壁４０に取り付けられる。
【０００４】
さらに、このように取り付けられた梁受金物３０の梁受部３８に梁１００の端部を取り付けることにより、梁１００が壁１０に対して交差方向に取り付けられる。このように、建築用パネルの接合部の上端部に形成された凹部にリブをはめ込んで取り付けられることから、簡単かつ低費用で確実に梁を壁に取り付けることができる。
【０００５】
【特許文献１】
特開平１０−１５９１８２
【０００６】
【発明が解決しようとする課題】
しかしながら、図８に示すような構造においては、壁パネルに凹部を予め、または現場にて加工する必要があり、作業手間が掛かってしまうという問題があった。また、梁の取付け位置は梁受け金物の受け部に取り付けることになるため、高さ位置が異なる場合にはそれに応じた別の梁受け金物を用意する必要があり、部品数を多く要するという難点もある。さらに、上記梁受け金物は壁パネル以外の部材と接合することが難しく、例えば、梁同士での接合では別の接合方法とする必要があるため、コスト高になる恐れもあった。したがって、複数の部材と容易に接合でき、かつコストメリットにも優れた梁受け構造であることが望ましい。
【０００７】
本発明は、梁同士または、梁と壁パネルの接合強度および、施工性の向上を図り、かつコスト削減にも効果的な梁受け構造を提供することにある。
【０００８】
【課題を解決するための手段】
本発明は、第１の梁と第２の梁が平面Ｌ字状に交差する交差部を梁受け金物で接合する梁受け構造であって、梁受け金物は、第２の梁の表面に沿った形態で固定される平面部と、その平面部と略直角に連設した受け部とを有し、受け部には、すくなくとも１つのボルト穴が設けられ、第１の梁と受け部は、第１の梁とボルト穴を貫通したボルトで連結されている構造とした。
【０００９】
このような本発明によれば、梁同士の接合強度および、施工性の向上を図り、かつコスト削減にも効果的となる。すなわち、第２の梁の表面に梁受け金物の平面部が固定され、その平面部と連設した受け部は略直角に形成されているため、連結作業が行いやすくなり、容易に第１の梁と第２の梁をボルトで連結することができる。また、ボルトは第１の梁と受け部を貫通して連結されていることで、より強固な接合構造とすることが可能となる。さらに、上記梁受け金物は、従来のような接合面に取り付けないで接合するため、梁同士以外の、例えば梁と壁パネル等の接合にも利用できる。したがって、部材数およびコスト削減を図ることできる。
【００１０】
梁と壁パネルが平面Ｌ字状に交差する交差部を梁受け金物で接合する梁受け構造であって、梁受け金物は、壁パネルの表面に沿った形態で固定される平面部と、その平面部と略直角に連設した受け部とを有し、受け部には、すくなくとも１つのボルト穴が設けられ、梁と受け部は、梁とボルト穴を貫通したボルトで連結されている構造とした。
【００１１】
このような構造とすることで、梁と壁パネルの接合強度および、施工性の向上を図り、かつコスト削減にも効果的となる。すなわち、壁パネルの表面に梁受け金物の平面部が固定され、その平面部と連設した受け部は略直角に形成されているため、連結作業が行いやすくなり、容易に梁と壁パネルをボルトで連結することができる。つまり、従来のように梁と壁パネルとの接合面に直接、梁受け金物等の接合部材を固定する場合に生じる不都合を解決できることになる。また、ボルトは梁と受け部を貫通して連結されていることで、より強固な接合構造とすることが可能となる。
【００１２】
前記平面部に複数のビス穴が設けられていることが望ましい。このように構成した場合、梁受け金物と壁パネル（または、第２の梁）の接合強度を向上させることができる。すなわち、梁受け金物の平面部は壁パネルまたは、第２の梁と固定する際、複数のビス穴にビスや釘等によって容易かつ確実に固定することができる。
【００１３】
前記ボルト穴の高さ位置に応じて梁受け金物が固定されていることが望ましい。このようにした場合、部材コストの低減を図ることができる。
【００１４】
すなわち、従来、梁と壁パネル（または、第２の梁）を接合する際、梁の受け面の高さ位置は決まっているため、梁の厚さが異なると取付け位置も異なってしまい、その高さ位置に応じて梁受け金物を別々に用意しなければならず、管理に手間がかかり、部材コストも高くなっていた。しかし、上記のように梁受け金物は、ボルト穴の高さ位置に応じた位置に壁パネル（または、第２の梁）を固定しているため、梁の高さ位置の変化に対応可能であり、管理作業および部材コストの低減を図ることができる。
【００１５】
前記梁に複数の補強材が設けられていることが望ましい。このように形成した場合、構造強度の向上を図ることができる。すなわち、梁の上下および裏表に補強材をそれぞれ設置することで、梁をより頑強な構造とすることが可能となる。
【００１６】
【発明の実施の形態】
以下、本発明の実施の形態について、図面を参照して説明する。
図１はユニット住宅の勾配屋根構造を示す斜視図である。
第１実施形態では、本発明をユニット住宅の勾配屋根（梁とマグサ）に適用した例を示す。
【００１７】
図１において、まずユニット住宅Ｔの概要を説明する。ユニット住宅Ｔは１階建物ユニット（図示しない）を基礎上にそれぞれ離しおいて対向配置されており、その１階建物ユニット上に２階建物ユニット（図示しない）が設置されている。１階および２階建物ユニット間には、それぞれ床パネル（図示しない）が敷設され、それらを居住空間として利用可能となっている。
【００１８】
２階建物ユニット上に設置されている屋根は勾配屋根Ｙとなっており、壁１７上に梁１（第１の梁）が設置され、それらにマグサ２（第２の梁）が入り隅に突き当たる形態となっている（交差部Ａ）。交差部Ａについては後述する。このマグサ２は対向配置された柱３に固定され、柱３間の開口部を補強する補強梁となっている。梁１は、上下および裏表（上下のみ図示）の４箇所をそれぞれガセット合板４で補強されている。また、梁１と壁１７は胴差しボルト５によって上下方向を固定した構造となっている。上記のように、ガセット合板４で梁１を補強することで、勾配屋根Ｙの構造強度の向上を図ることができる。また、梁１およびマグサ２上に端面が直角三角形状の三角材１８が設置され、三角材１８に隣接して複数の屋根材６が設置されている。
【００１９】
図２，図３に基づいて、交差部Ａおよび梁受け金物７の詳細構造を説明する。交差部Ａは、梁１とマグサ２が平面Ｌ字状に交差されており、マグサ２に梁受け金物７が固定されている。梁受け金物７は鋼製で形成されており、マグサ２の表面に沿った形態で固定される平面部８と、その平面部８と略直角に連設した受け部９とを有し、平面部８および受け部９間にブラケット１０が設けられている。受け部９にはボルト穴１１が設けられ、平面部８には複数のビス穴１２が設けられている。また、梁１と受け部９は、梁１に設けられた連結ボルト穴１４とボルト穴１１を貫通して、連結ボルト１３によって連結されている。この連結ボルト穴１４に連続してナット収納部Ｎが設けられ、連結ボルト１３の両端をナット１５によってそれぞれ締結されている。
【００２０】
したがって、梁１とマグサ２との接合強度および、施工性の向上を図ることができる。すなわち、マグサ２の表面に梁受け金物７の平面部８が固定され、その平面部８と連設した受け部９は略直角に形成されているため、連結作業が行いやすくなり、容易に梁１とマグサ２を連結ボルト１３で連結することができる。また、連結ボルト１３は梁１と受け部９を貫通して連結されていることで、より強固な接合構造とすることが可能となる。
【００２１】
さらに、平面部８に複数のビス穴１２が設けられているため、梁受け金物７とマグサ２との接合強度を向上させることができる。梁受け金物７の平面部８はマグサ２と固定する際、複数設けられたビス穴１２にビスや釘等によって容易かつ確実に固定することができるので、接合強度および耐久性を高めることが可能となる。
【００２２】
また、梁受け金物７は梁１の連結ボルト穴１４の高さ位置に応じて固定されている。従来は、梁１とマグサ２を接合する際、梁１の受け面（梁１とマグサ２の接合面）の高さ位置は決まってしまうため、梁１の厚さが異なると取付け位置も異なってしまい、その高さ位置に応じて梁受け金物７を別々に用意しなければならず、管理に手間がかかり、部材コストも高くなっていた。しかし、上記のように梁受け金物７は、梁１の連結ボルト穴１４の高さ位置に応じてマグサ２と固定しているため、梁１の高さ位置の変化に対応可能であり、管理作業および部材コストの低減を図ることができる。
【００２３】
次に、本発明の第２実施形態をユニット住宅の勾配屋根（梁と壁パネル）に適用した例を示す。
【００２４】
図４に示すように、２階建物ユニット（図示しない）上に設置されている屋根は勾配屋根Ｙとなっており、壁１７上に梁１が設置され、それらに壁パネル１６が入り隅に突き当たる形態となっている（交差部Ｂ）。交差部Ｂについては後述する。壁パネル１６は、工場等で予め組み立てられて設置されており、梁１は、上下および裏表（上下のみ図示）の４箇所をそれぞれガセット合板４で補強されている。梁１と壁１７は胴差しボルト５によって上下方向を固定した構造となっている。上記のようにガセット合板４で梁１を補強することで、勾配屋根Ｙの構造強度の向上を図ることができる。また、梁１および壁パネル１６上に端面が直角三角形状の三角材１８がスクリュー釘１９によって固定され、三角材１８に隣接して複数の屋根材６が設置されている。
【００２５】
次に、交差部Ｂの詳細構造を説明する。図３および図５に示すように、交差部Ｂは、梁１と壁パネル１６が平面Ｌ字状に交差されており、壁パネル１６に梁受け金物７が固定されている。梁受け金物７は鋼製で形成されており、壁パネル１６の表面に沿った形態で固定される平面部８と、その平面部８と略直角に連設した受け部９とを有し、平面部８および受け部９間にブラケット１０が設けられている。受け部９にはボルト穴１１が設けられ、平面部８には複数のビス穴１２が設けられている。また、梁１と受け部９は、梁１に設けられた連結ボルト穴１４とボルト穴１１を貫通して、連結ボルト１３によって連結されている。この連結ボルト穴１４に連続してナット収納部Ｎが設けられ、連結ボルト１３の両端をナット１５によってそれぞれ締結されている。
【００２６】
したがって、梁１と壁パネル１６との接合強度および、施工性の向上を図ることができる。すなわち、壁パネル１６の表面に梁受け金物７の平面部８が固定され、その平面部８と連設した受け部９は略直角に形成されているため、連結作業が行いやすくなり、容易に梁１と壁パネル１６を連結ボルト１３で連結することができる。また、連結ボルト１３は梁１と受け部９を貫通して連結されていることで、より強固な接合構造とすることが可能となる。
【００２７】
さらに、平面部８に複数のビス穴１２が設けられているため、梁受け金物７と壁パネル１６との接合強度を向上させることができる。梁受け金物７の平面部８は壁パネル１６と固定する際、複数設けられたビス穴１２にビスや釘等によって容易かつ確実に固定することができるので、接合強度および耐久性を高めることが可能となる。
【００２８】
また、梁受け金物７は梁１の連結ボルト穴１４の高さ位置に応じて固定されている。従来は、梁１と壁パネル１６を接合する際、梁１の受け面（梁１と壁パネル１６の接合面）の高さ位置は決まってしまうため、梁１の厚さが異なると取付け位置も異なってしまい、その高さ位置に応じて梁受け金物７を別々に用意しなければならず、管理に手間がかかり、部材コストも高くなっていた。しかし、上記のように梁受け金物７は、連結ボルト穴１４の高さ位置に応じて壁パネル１６と固定しているため、梁１の高さ位置の変化に対応可能であり、管理作業および部材コストの低減を図ることができる。
【００２９】
次に、本発明の第３実施形態について図６および図７を参照して説明する。この第３実施形態では、本発明をユニット住宅のインナーバルコニ（梁と壁パネルとマグサ）に適用した例を示す。
【００３０】
図６に示すように、インナーバルコニＩは、複数の柱３間に立設された手摺パネル２０が設けられ、手摺パネル２０と柱３はスクリュー釘１９および接着剤２１によって固定されている。また、手摺パネル２０は床と胴差しボルト５および接着剤２１によって固定されている。柱３の上端部に取り付けられた羽子板ボルト２２は、その上部に設置されるマグサ２および梁１と固定されている。
【００３１】
また、インナーバルコニＩの接合構造としては交差部Ｃのような形態となり、柱３上に設置されたマグサ２に延設して壁パネル１６が立設され、それらに対して、梁１が平面Ｔ字状に突き当たる形態となっている。
【００３２】
図３，図７に基づいて、交差部Ｃの詳細構造および接合構造を説明する。これらの図において、壁パネル１６およびマグサ２の接合面Ｄの略中心部に、梁１が接合されており、マグサ２には梁受け金物７が固定されている。この梁受け金物７は鋼製で形成されており、マグサ２の表面に沿った形態で固定される平面部８と、その平面部８と略直角に連設した受け部９とを有し、平面部８および受け部９間にブラケット１０が設けられている。
【００３３】
受け部９にはボルト穴１１が設けられ、平面部８には複数のビス穴１２が設けられている。また、梁１と受け部９は、梁１に設けられた連結ボルト穴１４とボルト穴１１を貫通して、連結ボルト１３によって連結されている。この連結ボルト穴１４に連続してナット収納部Ｎが設けられ、連結ボルト１３の両端をナット１５によってそれぞれ締結されている。
【００３４】
したがって、梁１とマグサ２との接合強度および、施工性の向上を図ることができる。すなわち、マグサ２の表面に梁受け金物７の平面部８が固定され、その平面部８と連設した受け部９は略直角に形成されているため、連結作業が行いやすくなり、容易に梁１とマグサ２を連結ボルト１３で連結することができる。また、連結ボルト１３は梁１と受け部９を貫通して連結され、さらに、柱３に取り付けられた羽子板ボルト２２がマグサ２を固定していることで、より強固な接合構造とすることが可能となる。
【００３５】
さらに、平面部８に複数のビス穴１２が設けられているため、梁受け金物７とマグサ２との接合強度を向上させることができる。梁受け金物７の平面部８はマグサ２と固定する際、複数設けられたビス穴１２にビスや釘等によって容易かつ確実に固定することができるので、接合強度および耐久性を高めることが可能となる。
【００３６】
また、梁受け金物７は梁１の連結ボルト穴１４の高さ位置に応じて固定されている。従来は、梁１とマグサ２を接合する際、梁１の受け面（梁１とマグサ２の接合面）の高さ位置は決まってしまうため、梁１の厚さが異なると取付け位置も異なってしまい、その高さ位置に応じて梁受け金物７を別々に用意しなければならず、管理に手間がかかり、部材コストも高くなっていた。しかし、上記のように梁受け金物７は、連結ボルト穴１４の高さ位置に応じてマグサ２に固定しているため、梁１の高さ位置の変化に対応可能であり、管理作業および部材コストの低減を図ることができる。
【００３７】
【発明の効果】
以上のように、本発明によれば、梁同士または、梁と壁パネルの接合強度および、施工性の向上を図り、かつコスト削減にも効果的な梁受け構造を提供することができる。
【図面の簡単な説明】
【図１】本発明の第１実施形態に係るユニット住宅の勾配屋根（梁とマグサ）を示す斜視図である。
【図２】本発明の第１実施形態に係る交差部Ａの構造を示す平面図である。
【図３】本発明の第１〜３実施形態に係る梁受け金物の構造を示す斜視図である。
【図４】本発明の第２実施形態に係るユニット住宅の勾配屋根（梁と壁パネル）を示す斜視図である。
【図５】本発明の第２実施形態に係る交差部Ｂの構造を示す平面図である。
【図６】本発明の第３実施形態に係るインナーバルコニの構造を示す斜視図である。
【図７】本発明の第３実施形態に係る交差部Ｃの構造を示す平面図である。
【図８】従来の技術を示す斜視図である。
【符号の説明】
１    梁（第１の梁）
２    マグサ（第２の梁）
３    柱
４    ガセット合板
５    胴差しボルト
６    屋根材
７    梁受け金物
８    平面部
９    受け部
１０  ブラケット
１１  ボルト穴
１２  ビス穴
１３  連結ボルト
１４  連結ボルト穴
１５  ナット
１６  壁パネル
１７  壁
１８  三角材
１９  スクリュー釘
２０  手摺パネル
２１  接着剤
２２  羽子板ボルト
Ａ，Ｂ，Ｃ  交差部
Ｄ    接合面
Ｉ    インナーバルコニ
Ｎ    ナット収納部
Ｙ    勾配屋根
【図１】
2004232211.tif 000003
【図２】
2004232211.tif 000004
【図３】
2004232211.tif 000005
【図４】
2004232211.tif 000006
【図５】
2004232211.tif 000007
【図６】
2004232211.tif 000008
【図７】
2004232211.tif 000009
【図８】
2004232211.tif 000010